Podtech/llm-jp-corpus-v4-ja_patent huggingface dataset:
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
複合混合物の化学成分の組成の非標的決定のための方法であって、前記方法は、
分離技術及び質量分析装置を用い、サンプルの分離及び質量分析データを生成し、
ここで前記分離データはピーク情報を含み、かつ前記質量分析データは１次及び２次質量分析データを含み、
前記生成された分離及び質量分析データを含む解析結果を収集及び格納し、
前記解析結果を化学物質の特性を示す情報のライブラリと比較することにより、前記サンプルの化学成分を決定し、ここで前記比較は前記分離及び質量分析データに基づいており、前記情報のライブラリは前記分離技術及び質量分析装置によって生成されるデータを含み、さらに前記情報のライブラリは同定され又は同定されていない化学物質の分離及び質量分析データを含み;及び
人間がアクセス可能な形で利用できるように前記サンプルの前記化学成分の表示を行う、ことを含む方法。
【請求項２】
複合混合物の化学成分の組成の非標的決定のためのシステムであって、前記システムは：
サンプルの化学成分の分離の実行及びピーク情報を含む分離データの生成のための分離ツール；
前記サンプルの前記分離された化学成分の一部に質量分析を実行し、かつ１次及び２次質量分析データを含む質量分析データを生成するための質量分析装置；
前記分離ツール及び質量分析装置によって生成されるデータを含み、化学物質の特性を示す情報のライブラリであって、前記情報のライブラリは同定され又は同定されていない化学物質の分離及び質量分析データを含み；
前記分離及び質量分析データを解析結果として受信、収集及び格納し、かつ前記解析結果を前記情報のライブラリと比較することによって前記サンプルの化学成分を決定するための解析モジュールであって、前記比較は前記分離及び質量分析データに基づいており;及び
解析モジュールに結合され、人間がアクセス可能な形で利用できるように前記サンプルの前記化学成分の表示を行うためのユーザインターフェイス
を有するシステム。
【請求項３】
コンピュータ実行可能な命令が格納されたコンピュータ読み取り可能な媒体であって、該命令はコンピュータのプロセッサによって実行されたときに： 
分離技術及び質量分析装置を用い、サンプルの分離及び質量分析データを生成し、
ここで前記分離データはピーク情報を含み、かつ前記質量分析データは１次及び２次質量分析データを含み、
前記生成された分離及び質量分析データを含む解析結果を収集及び格納し、
前記解析結果を化学物質の特性を示す情報のライブラリと比較することにより、前記サンプルの化学成分を決定し、ここで前記比較は前記分離及び質量分析データに基づいており、前記情報のライブラリは前記分離技術及び質量分析装置によって生成されるデータを含み、さらに前記情報のライブラリは同定され又は同定されていない化学物質の分離及び質量分析データを含み;及び
人間がアクセス可能な形で利用できるように前記サンプルの前記化学成分の表示を行う、ことを含むステップを実行する、コンピュータ読み取り可能な媒体。
【手続補正書】
【提出日】平成24年1月6日(2012.1.6)
【手続補正１】
【補正対象書類名】特許請求の範囲
【補正対象項目名】全文
【補正方法】変更
【補正の内容】
【特許請求の範囲】
【請求項１】
屈曲および／または湾曲した外套面と、ねじ山を有するこの外套面上に配置された領域とを有する自己切削型ねじ込み体であって、そのねじ山歯断面形状は前記ねじ込み体の仮想軸から離れるよう延在し、前記ねじ山は少なくとも２つのフルートによって分割されており、行きつ戻りつ変化する前記フルートの斜めの進路またはねじれた進路に基づいて、フルートとねじ山歯との間に形成される切刃が、前記ねじ山歯の一方または他方のフランク上に交互にずれていることを特徴とする、ねじ込み体。
【請求項２】
前記ねじ山歯断面形状は、前記ねじ込み体の前記仮想軸に対してほぼ垂直に方向付けられていることを特徴とする、請求項１に記載のねじ込み体。
【請求項３】
前記切刃は、一連のねじ山リブの前記進路から露出していることを特徴とする、請求項１または２に記載のねじ込み体。
【請求項４】
前記ねじ山歯を囲む面は、ネジ表面の部分であることを特徴とする、請求項１から３のいずれか１つに記載のねじ込み体。
【請求項５】
前記ねじ山歯を囲む３つの面のうちの少なくとも１つは、フライス削り面の後側に逃げ角を形成することを特徴とする、請求項１から３のいずれか１つに記載のねじ込み体。
【請求項６】
インプラント、特に人工股関節寛骨臼カップ、人工肩関節の一部、大腿骨頸部ネジ、骨ネジ、または歯インプラントとして実現されることを特徴とする、請求項１から５のいずれか１つに記載のねじ込み体。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
スクロール圧縮機と；
前記スクロール圧縮機を支持する取付基部であって、前記取付基部は、少なくとも２つのトラックと、外周縁部と、少なくとも１つの支持リブとを有し、前記少なくとも１つの支持リブは前記外周縁部に向けて離間して突出するように設けられた、取付基部とを備える；
スクロール圧縮機アセンブリ。
【請求項２】
前記少なくとも１つの支持リブは、前記少なくとも２つのトラックの間を横断方向に延在するように設けられた、請求項１に記載のスクロール圧縮機アセンブリ。
【請求項３】
少なくとも２つの支持リブをさらに備え、前記少なくとも２つの支持リブは前記スクロール圧縮機の対向する側部に設けられた支持リブを含み、前記各支持リブは、前記少なくとも２つのトラックの間を横断方向に延在するように設けられた、請求項２に記載のスクロール圧縮機アセンブリ。
【請求項４】
前記取付基部は成形された金属板を備え、前記少なくとも１つの支持リブは、前記取付基部の本体に形成された隆起リッジを有し、前記隆起リッジは２つの丸められた端部の間に延在する直線セグメントを含み、前記直線セグメントは略Ｕ字形の断面を有する、請求項１乃至請求項３のいずれか一項に記載のスクロール圧縮機アセンブリ。
【請求項５】
前記取付基部は、前記スクロール圧縮機が配置される環状の窪み領域を包囲する４つの側部と、４つのコーナー領域とを有する成形された金属板を備え、前記各コーナー領域は、２つの隣り合う前記側部の間の交差部に位置し、前記各コーナー領域は取付孔を有し、前記各支持リブは、２つの前記取付孔と、前記２つの取付孔が設けられた前記コーナー領域における１つの前記外周縁部との略中間の、前記取付孔のペアが設けられた外側の領域において突出する、請求項１乃至請求項３のいずれか一項に記載のスクロール圧縮機アセンブリ。
【請求項６】
前記各支持リブのそれぞれの端部は、前記支持リブが前記取付孔に達する前に終端を成すように前記横断方向において延在するように構成された、請求項５に記載のスクロール圧縮機アセンブリ。
【請求項７】
前記各トラックは、前記外周縁部において前記金属板の本体から垂下するフランジを有する、請求項４乃至請求項６のいずれか一項に記載のスクロール圧縮機アセンブリ。
【請求項８】
略平行に配置して設けられた２つの取付レールをさらに備え、前記各トラックは前記レールのそれぞれに配置され、前記少なくとも１つの支持リブの両端は、前記各トラックが前記レールのそれぞれに配置されるときに、前記２つの取付レールのそれぞれと重なり合うように設けられた、請求項１乃至請求項７のいずれか一項に記載のスクロール圧縮機アセンブリ。
【請求項９】
４つの側部を持つ本体部分を有する金属製の一体成形された構成要素部品と；
スクロール圧縮機を支持するための窪みが設けられた、中央領域と；
前記本体部分の両側から垂下するフランジとして設けられた一対のトラックと；
前記フランジの間を横断方向に延在して、前記本体部分内に形成される一対の支持リブとを備え；
前記支持リブの断面は略Ｕ字形に設けられた；
スクロール圧縮機のための取付基部。
【請求項１０】
前記各支持リブは前記金属製の一体成形された構成要素部品の前記本体部分に設けられた隆起リッジを有する、請求項９に記載の取付基部。
【請求項１１】
前記取付基部は、４つのコーナー領域を有し、前記各コーナー領域は、２つの隣り合う前記側部の間の交差部に位置し、前記各コーナー領域は取付孔を有し、前記各支持リブは、２つの前記取付孔と、前記２つの取付孔が設けられた前記コーナー領域における１つの外周縁部との略中間の、前記取付孔のペアが設けられた外側の領域において突出する、請求項９又は請求項１０に記載の取付基部。
【請求項１２】
前記各支持リブのそれぞれの端部は前記支持リブが前記取付孔に達する前に終端を成すように前記横断方向において延在するように構成された、請求項１１に記載の取付基部。
【請求項１３】
前記各フランジは、一対の平行な取付レールの一方の前記取付レールの外側の縁部に沿って設置され、前記各支持リブの両端は、前記取付基部が前記取付レール上に配置されるときに、前記２つの取付レールとそれぞれ重なり合う、請求項９乃至請求項１２のいずれか一項に記載の取付基部。
【請求項１４】
前記各支持リブは、丸められた対向する端部の間において延在する略直線状のセグメントを含み、前記本体部分は略平面状に設けられ、前記本体部分の平面領域は前記各支持リブを略包囲するように設けられた、請求項９乃至請求項１３のいずれか一項に記載の取付基部。
【請求項１５】
前記窪みは、前記本体部分から上方に延在するリング壁を有し、凹状の受け部を有する、請求項９乃至請求項１４のいずれか一項に記載の取付基部。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
シェルセクションを含むハウジングと；
複数のスクロール圧縮機体であって、それぞれの基部と、前記それぞれの基部から突出して、流体を圧縮するために軸の周りにおいて互いに係合するそれぞれのスクロールリブとを有する、複数のスクロール圧縮機体と；
前記複数のスクロール圧縮機体の間の相対的な運動を可能とするように作動する、駆動ユニットとを備え；
前記シェルセクションは、前記複数のスクロール圧縮機体の１つを基準として位置決めされて、前記ハウジングの残り部分に対して、軸方向において相対的に位置決めされ；
前記複数のスクロール圧縮機体の１つと前記シェルセクションとの間をシールする、前記駆動ユニットと前記軸方向における位置決め位置との間の軸方向における位置に設けられたシールとをさらに備える；
スクロール圧縮機。
【請求項２】
前記シェルセクションを位置決めする前記スクロール圧縮機体は、前記ハウジングに対して固定される固定スクロール圧縮機体であり、前記シェルセクションは、前記シールの上方において前記固定スクロール圧縮機体と軸方向において当接する、請求項１に記載のスクロール圧縮機。
【請求項３】
前記シェルセクションは、第２のシェルセクションの環状の壁と入れ子に嵌合し、前記シェルセクションと前記第２のシェルセクションとを一体となるように固定する円周溶接部をさらに備え、前記固定スクロール圧縮機体は、前記円周溶接部の位置を決定する、請求項２に記載のスクロール圧縮機。
【請求項４】
前記固定スクロール圧縮機体は：
略円筒状の外周部と；
半径方向に延在する当接部により連接される大径部と小径部とを含むように前記略円筒状の外周部に沿って形成される段付部とを含み；
前記シェルセクションと係合する前記当接部は、前記大径部と前記小径部との間に画成される、請求項２又は請求項３に記載のスクロール圧縮機。
【請求項５】
前記シェルセクションは：
略円筒状の内周領域と；
半径方向に延在する当接領域により連接される大径領域と小径領域とを含むように前記略円筒状の内周領域に沿って形成される段付領域とを含み；
前記当接領域は前記大径領域と前記小径領域との間に画成され、前記固定スクロール圧縮機体の前記当接部と前記シェルセクションの前記当接領域とは互いに係合する、請求項４に記載のスクロール圧縮機。
【請求項６】
前記固定スクロール圧縮機体の前記小径部と前記シェルセクションの前記小径領域との間に環状の逃げ隙間をさらに備える、請求項５に記載のスクロール圧縮機。
【請求項７】
前記固定スクロール圧縮機体の前記大径部内に形成される環状の溝をさらに備え、前記シールは前記環状の溝内に保持されるリングシールを含み、前記リングシールは前記シェルセクションと前記固定スクロール圧縮機体との間をシールする、請求項５又は請求項６に記載のスクロール圧縮機。
【請求項８】
前記固定スクロール圧縮機体の前記当接部と前記シェルセクションの前記当接領域とは、前記固定スクロール圧縮機体を前記シェルセクションに対して相対的に中央に位置決めするために、互いに係合するカム面をそれらの間に備える、請求項５乃至請求項７のいずれか一項に記載のスクロール圧縮機。
【請求項９】
前記シェルセクションは：
略円筒状の内周領域と；
半径方向に延在する当接領域により連接される大径領域と小径領域とを含むように前記略円筒状の内周領域に沿って形成される段付領域とを含み；
前記当接領域は前記大径領域と前記小径領域との間に画成され、前記当接領域は前記固定スクロール圧縮機体と係合する、請求項２乃至請求項４のいずれか一項に記載のスクロール圧縮機。
【請求項１０】
前記シェルセクションは鋼板から成形され、前記鋼板の厚さは非成形状態において一定に設けられ、前記小径領域の厚さは前記大径領域よりも厚く設けられた、請求項５乃至請求項９のいずれか一項に記載のスクロール圧縮機。
【請求項１１】
複数のスクロール圧縮機体を組立てるステップであって、前記複数のスクロール圧縮機体は、それぞれの基部と、前記それぞれの基部から突出して、流体を圧縮するために軸の周りにおいて互いに係合するそれぞれのスクロールリブとを有する、複数のスクロール圧縮機体を組立てるステップと；
前記複数のスクロール圧縮機体を覆ってハウジングシェルセクションを組み付けるステップと；
前記複数のスクロール圧縮体の１つにより、前記ハウジングシェルセクションの軸方向における運動を制限するステップと；
前記ハウジングシェルセクションをハウジングの残り部分に固定するステップと；
前記ハウジングシェルセクションと前記複数のスクロール圧縮機体の１つを、前記制限の下方においてシールするステップとを備える；
スクロール圧縮機の製造方法。
【請求項１２】
前記ハウジングシェルセクションを前記複数のスクロール圧縮機体の１つに当接させるステップをさらに備える、請求項１１に記載の方法。
【請求項１３】
前記ハウジングシェルセクションを前記複数のスクロール圧縮機体の１つに対して相対的に心出しするステップをさらに備える、請求項１１又は請求項１２に記載の方法。
【請求項１４】
前記ハウジングシェルセクションは、端部を覆う部分と円筒状の側壁部分とを有する最上のハウジングシェルセクションとして設けられ；
前記ハウジングは第２のシェルセクションをさらに含んで設けられ；
前記最上のハウジングシェルセクションの前記円筒状の側壁部分と前記第２のシェルセクションとを入れ子に嵌合するステップと；
前記最上のハウジングシェルセクションを前記第２のシェルセクションに円周溶接するステップとをさらに備える；
請求項１１乃至請求項１３のいずれか一項に記載の方法。
【請求項１５】
前記制限するステップのための制限を画成するために、前記ハウジングシェルセクションの内周領域と前記複数のスクロール圧縮機体のうちの前記１つの外周部との少なくとも一方に段付領域を形成するステップをさらに備える、請求項１１乃至請求項１４のいずれか一項に記載の方法。
【請求項１６】
前記ハウジングシェルセクションの内周領域と前記複数のスクロール圧縮機体のうちの前記１つの外周部との両方に段付領域を形成するステップと；
前記段付領域を軸方向において当接させるステップとをさらに備える；
請求項１５に記載の方法。
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
第１のスクロール圧縮機体と第２のスクロール圧縮機体とを有するスクロール圧縮機組立体であって、前記第１および第２のスクロール圧縮機体は、それぞれの基部と、前記それぞれの基部から突出するそれぞれのスクロールリブとを有し、それらが互いに係合するように構成され、前記スクロールリブは中心軸を全体として包囲し、前記複数のスクロール圧縮機体は第１および第２の横軸に沿って他方に対して相対的に運動可能に設けられ、前記第１および第２の横軸は互いに直交するように構成された、スクロール圧縮機組立体と；
前記第２のスクロール圧縮機体に作用するキー継手であって、前記第２のスクロール圧縮機体は前記第２の横軸に沿って前記キー継手に対して相対的に運動可能に設けられた、キー継手と；
前記キー継手と前記第２のスクロール圧縮機体との間の非対称な協働する摺動接触部の構成であって、前記摺動接触部の構成は、対向して配置される第１および第２の摺動接触部を含み、前記第１の摺動接触部に沿って与えられるランニングクリアランスは、前記第２の摺動接触部に沿って与えられるランニングクリアランスよりも小さく設けられた、非対称な協働する摺動接触部の構成とを備える；
スクロール圧縮機。
【請求項２】
前記キー継手は、前記第２の横軸より見て対向する両側の領域に２つの対として設けられた４つのキーを有し、前記第２のスクロール圧縮機体は対向して設けられるフランジ部を有し、前記各フランジ部は前記複数のキーの対のうちの１つの対の間に摺動可能に収容されて前記第１および第２の摺動接触部を形成するように構成された、請求項１に記載のスクロール圧縮機。
【請求項３】
前記各フランジ部は、それぞれの前記キーと接触する第１および第２の摺動面を有し、前記第１および第２の摺動面は、異なる距離において前記第２の横軸から離間して設けられた、請求項２に記載のスクロール圧縮機。
【請求項４】
前記キーの対は、前記第２の横軸より見て対向する両側の領域に設けられた第１および第２の前記キーを有し、前記各キーは前記複数のフランジ部の一つと係合する摺動面を有し、前記第１のキーの前記摺動面は、前記第２のキーの前記摺動面よりも、前記第２の横軸から遠くに離間して設けられた、請求項２又は請求項３に記載のスクロール圧縮機。
【請求項５】
前記キー継手は、前記第１の横軸に沿った前記キー継手の運動のために、前記第１のスクロール圧縮機体に形成された前記第１のスクロール圧縮機体のキー溝と係合する第５および第６のキーを有する、請求項２乃至請求項４のいずれか一項に記載のスクロール圧縮機。
【請求項６】
前記第１および第２の摺動接触部は、それぞれ、前記中心軸周りの互いに反対方向の第１および第２の回転方向における、前記キー継手と前記第２のスクロール圧縮機体との間の相対的な回転を防ぐように設けられた、請求項１乃至請求項５のいずれか一項に記載のスクロール圧縮機。
【請求項７】
前記第１および第２の摺動接触部に沿って与えられる前記ランニングクリアランスは約１０ミクロンから約２００ミクロンの間の値の範囲に設けられた、請求項１乃至請求項６のいずれか一項に記載のスクロール圧縮機。
【請求項８】
前記第１の摺動接触部に沿って与えられるランニングクリアランスはゼロまたは約ゼロに設けられ、実質的に全ての前記ランニングクリアランスが前記第２の摺動接触部に沿って与えられて設けられた、請求項１乃至請求項７のいずれか一項に記載のスクロール圧縮機。
【請求項９】
前記第２のスクロール圧縮機体は耳片とスロットとを有する、請求項１乃至請求項８のいずれか一項に記載のスクロール圧縮機。
【請求項１０】
前記スクロール圧縮機組立体を収容するハウジングをさらに備え、前記第１のスクロール圧縮機体は前記ハウジングに対して固定され、前記第２のスクロール圧縮機体は、前記第１のスクロール圧縮機体に対する相対的な軌道経路の周りを前記ハウジングに対して相対的に運動可能に設けられた、請求項１乃至請求項９のいずれか一項に記載のスクロール圧縮機。
【請求項１１】
複数のスクロール圧縮機体であって、それぞれの基部と前記それぞれの基部から突出するそれぞれのスクロールリブとを有し、それらが互いに係合するように構成され、前記スクロールリブは中心軸を全体として包囲し、前記スクロール圧縮機体は、互いに直交する横軸に沿って互いに対して相対的に運動可能に設けられた、複数のスクロール圧縮機体と；
前記互いに直交する横軸の少なくとも一方に沿った運動をガイドするための、前記複数のスクロール圧縮機体の少なくとも一つに作用する連結手段であって、ランニングクリアランスが前記連結手段と前記複数のスクロール圧縮機体の少なくとも一つとの間に与えられて設けられる、連結手段と；
前記ランニングクリアランスによって、クリアランスバックラッシュを正す手段とを備える；
スクロール圧縮機。
【請求項１２】
前記連結手段と前記複数のスクロール圧縮機体の少なくとも一つとの間に与えられる前記ランニングクリアランスは約１０ミクロンから約２００ミクロンの間の値の範囲に設けられた、請求項１１に記載のスクロール圧縮機。
【請求項１３】
前記クリアランスバックラッシュを正す手段は、第１および第２の摺動接触部を有し、前記第１の摺動接触部に沿って与えられるランニングクリアランスはゼロまたは約ゼロに設けられ、実質的に全ての前記ランニングクリアランスが前記第２の摺動接触部に沿って与えられて設けられた、請求項１１又は請求項１２に記載のスクロール圧縮機。
【請求項１４】
互いに直交する第１および第２の横軸に沿って、第１および第２のスクロール圧縮機体の間の相対的な運動をそれぞれガイドするステップと；
それぞれの基部と、前記それぞれの基部から突出して互いに係合するそれぞれのスクロールリブとの間における前記第１および第２のスクロール圧縮機体の間において、流体を徐々に圧縮するステップと；
複数の前記横軸の少なくとも一方に沿った相対的な運動中の回転方向のバックラッシュを防止するために、不均等なランニングクリアランスの配分を維持するステップとを備える；
スクロール圧縮機におけるバックラッシュを制御する方法。
【請求項１５】
前記ガイドするステップは、前記複数のスクロール圧縮機体の少なくとも一つの運動をガイドするためのキーを有するキー継手によって提供されるとともに、前記第２の横軸より見て対向する両側の領域に設けられた隣り合うキーの配置をオフセットして設けるステップをさらに備える、請求項１４に記載の方法。
【請求項１６】
組立ておよび摺動を容易にするために、前記キー継手と前記第２のスクロール圧縮機体との間に前記ランニングクリアランスを配置するステップを備え、前記ランニングクリアランスを配置するステップは、圧縮運転中において係合する摺動接触面に沿って配置される前記ランニングクリアランスよりも大きな前記ランニングクリアランスを、圧縮運転中において実質的に係合しない摺動接触面に沿って配置するステップを有する、請求項１５に記載の方法。
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
それぞれの基部と、前記それぞれの基部から突出するそれぞれのスクロールリブとを有し、それらが互いに係合するように構成された複数のスクロール圧縮機体と；
シャフト上に回転出力を提供する駆動ユニットであって、前記シャフトは、前記複数のスクロール圧縮機体の一つを駆動するように作動して流体を圧縮するための相対的な運動を可能とするように構成された、駆動ユニットと；
前記シャフトに取り付けられる釣り合い重錘とを備え；
前記釣り合い重錘は：
（ａ）第１の軸の周りに画成される、前記シャフトに作用する、前記シャフトとの第１の接触面と；
（ｂ）前記第１の軸とは異なる、第２の軸の周りに画成される、前記シャフトに作用する、前記シャフトとの第２の接触面とを有する；
流体圧縮用のスクロール圧縮機。
【請求項２】
前記接触面の一方は、前記釣り合い重錘を前記シャフトに対して所定の角度位置に配置し、前記接触面の他方は、前記釣り合い重錘を前記シャフトに固定する締りばめを形成する、請求項１に記載のスクロール圧縮機。
【請求項３】
前記釣り合い重錘は、カラー部と、オフセットした質量中心を有する重量部とを含み、前記カラー部は、前記第１および第２の接触面を提供するための円形の開口部と少なくとも部分的なカウンターボアとを有する、請求項２に記載のスクロール圧縮機。
【請求項４】
前記シャフトとの前記第１の接触面は、締りばめを形成する前記円形の開口部によって画成され、前記シャフトとの前記第２の接触面は、前記釣り合い重錘を前記所定の角度位置に配置する前記少なくとも部分的なカウンターボアによって画成される、請求項３に記載のスクロール圧縮機。
【請求項５】
前記シャフトとの前記第１の接触面は、締りばめを形成する前記少なくとも部分的なカウンターボアによって画成され、前記シャフトとの前記第２の接触面は、前記釣り合い重錘を前記所定の角度位置に配置する前記円形の開口部によって画成される、請求項３に記載のスクロール圧縮機。
【請求項６】
前記配置のための前記接触面は、角度を隔てて設けられた２つのタブ上に形成され、角度を隔てて設けられた前記タブの各々は、前記シャフト上に前記釣り合い重錘を配置するために、前記シャフトと係合する部分的な円筒壁セグメントを画成する、請求項２乃至請求項５のいずれか一項に記載のスクロール圧縮機。
【請求項７】
前記タブは、許容寸法感度を略最小にする所定の位置に設けられる、請求項６に記載のスクロール圧縮機。
【請求項８】
前記シャフトは、前記第１の軸に略同軸に設けられた円筒セグメントと、前記第１の軸からオフセットして設けられた偏心環状セグメントとを有し、前記偏心環状セグメントは、前記スクロール圧縮機体の一方の駆動ハブに係合するように構成されるとともに、前記第１のシャフトとの接触面は前記偏心環状セグメントを受け入れる円形の開口部を含み、前記第２のシャフトとの接触面は、前記円筒セグメントに係合する少なくとも部分的なカウンターボアによって画成される、請求項１又は請求項２に記載のスクロール圧縮機。
【請求項９】
組み付けを容易にするために、シャフトと釣り合い重錘に温度差を与えるステップであって、前記シャフトは、中心軸に略同軸に設けられた中心環状セグメントと、前記中心軸からオフセットして設けられた偏心環状セグメントとを含む環状セグメントを有する、温度差を与えるステップと；
前記シャフトに前記釣り合い重錘を組み付けるステップと；
前記釣り合い重錘を前記環状セグメントのうちの第１の環状セグメントに配置するステップと；
前記釣り合い重錘を前記環状セグメントのうちの第２の環状セグメントに係止するステップとを備える；
スクロール圧縮機アセンブリのシャフトに釣り合い重錘を取り付ける方法。
【請求項１０】
前記温度差を取り除いて、前記環状セグメントのうちの第２の環状セグメントに前記釣り合い重錘を係止するステップをさらに備える、請求項９に記載の方法。
【請求項１１】
前記釣り合い重錘に形成された開口部を加熱することにより熱膨張させるステップと；
前記釣り合い重錘を前記偏心環状セグメント上で摺動させるステップとをさらに備える；
請求項９又は請求項１０に記載の方法。
【請求項１２】
前記釣り合い重錘に設けられた少なくとも部分的なカウンターボアに前記中心環状セグメントを着座させるステップをさらに備える、請求項９乃至請求項１１のいずれか一項に記載の方法。
【請求項１３】
前記配置するステップは、前記釣り合い重錘の質量中心を前記中心軸に対して角度位置において位置決めするステップを有する、請求項９乃至請求項１２のいずれか一項に記載の方法。
【請求項１４】
前記釣り合い重錘と前記駆動シャフトとを２つの所定の接触位置において接触させることにより前記角度位置において位置決めをおこなう許容寸法感度を最小に設けるステップをさらに備える、請求項１３に記載の方法。
【請求項１５】
前記接触位置を提供するために、２つのタブを角度を隔てた配置において設けるステップをさらに備える、請求項１４に記載の方法。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
圧縮部と；
流体を圧縮するために、前記圧縮部を駆動するように作動する駆動ユニットと；
保護モジュールと；
前記圧縮部の運転を可能とするために、前記駆動ユニットに電力を接続する電源コネクタと；
前記保護モジュールと前記電源コネクタとの少なくとも一方に接続を提供する端子ブロックと；
前記端子ブロックと前記電源コネクタとを接続する、少なくとも１つの電源リード線とを備える；
流体圧縮用の圧縮機。
【請求項２】
前記圧縮機はスクロール圧縮機であり、前記スクロール圧縮機は、複数のスクロール圧縮機体と前記駆動ユニットとを収容するハウジングを含み、前記複数のスクロール圧縮機体は、それぞれの基部と、前記それぞれの基部から突出して、流体を圧縮するために軸の周りにおいて互いに係合する、それぞれのスクロールリブとを有し、前記駆動ユニットは、前記複数のスクロール圧縮機体の間の相対的な運動を可能とするように作動する、請求項１に記載の圧縮機。
【請求項３】
前記ハウジングの外側に担持される制御ボックスをさらに備え、前記制御ボックスは、前記保護モジュールと、前記電源コネクタと、前記端子ブロックとを格納する、請求項２に記載の圧縮機。
【請求項４】
前記端子ブロックは、前記制御ボックスのハウジングに取り付けられ、前記端子ブロックは、前記制御ボックスの開口端より見て、相対的に前記保護モジュールおよび前記電源コネクタの手前側に取り付けられる、請求項１乃至請求項３のいずれか一項に記載の圧縮機。
【請求項５】
前記端子ブロックと前記保護モジュールとを接続する、少なくとも１本の保護モジュールリード線をさらに含み、前記端子ブロックおよび前記電源コネクタ用のリード線には異なるコードが付された、請求項１乃至請求項４のいずれか一項に記載の圧縮機。
【請求項６】
２本の前記保護モジュールリード線が前記端子ブロックと前記保護モジュールとを接続し、３本の電源リード線が前記端子ブロックと前記電源コネクタとを接続し、前記端子ブロックは、制御リード線に接続する２つの自由な電気結合部と、前記電源リード線に接続する３つの自由な電気結合部とを含む、請求項５に記載の圧縮機。
【請求項７】
前記端子ブロックは、絶縁体と、２行に配置された複数のねじクランプとを含む、請求項１乃至請求項６のいずれか一項に記載の圧縮機。
【請求項８】
圧縮部および駆動ユニットをハウジング内に装着するステップであって、前記駆動ユニットは流体の圧縮を可能とするために前記圧縮部を駆動するように作動可能に設けられた、圧縮部および駆動ユニットをハウジング内に装着するステップと；
前記駆動ユニットに電源コネクタを接続するステップと；
前記駆動ユニットに保護モジュールを電気的に接続するステップと；
前記保護モジュールおよび前記電源コネクタの少なくとも一方に端子ブロックを電気的に接続するステップとを備える；
圧縮機を製造する方法。
【請求項９】
少なくとも２つの異なる圧縮機にわたって、前記保護モジュールおよび前記電源コネクタの少なくとも一方を配置または構成するステップと；
何れの変更もユーザには明瞭であるように、前記少なくとも２つの異なる圧縮機の間において、前記端子ブロックのための共通するリード線の構成を維持するステップとをさらに備える；
請求項８に記載の方法。
【請求項１０】
何れの変更もユーザには明瞭であるように、前記少なくとも２つの異なる圧縮機の間において、前記端子ブロックの同一の配置を維持するステップをさらに備える；
請求項９に記載の方法。
【請求項１１】
前記端子ブロックに外部電源を電気的に結合するステップと；
前記端子ブロックに制御信号源を電気的に結合するステップとをさらに備え；
前記端子ブロックへの結合は、異なるコードが付されることによりエンドユーザに対して視覚的表示を提供する；
請求項８乃至請求項１０のいずれか一項に記載の方法。
【請求項１２】
前記ハウジングに制御ボックスを取り付けるステップと；
前記保護モジュールと、前記端子ブロックと、前記電源コネクタとを前記制御ボックス内に収容するステップとをさらに備える；
請求項８乃至請求項１１のいずれか一項に記載の方法。
【請求項１３】
前記制御ボックスの開口部より見て、相対的に前記電源コネクタおよび前記保護モジュールの手前側の位置において前記制御ボックスに前記端子ブロックを取り付けるステップをさらに備える、請求項１２に記載の方法。
【請求項１４】
前記圧縮部はスクロール圧縮部として設けられ、前記スクロール圧縮部は、複数のスクロール圧縮機体であって、それぞれの基部と、前記それぞれの基部から突出するそれぞれのスクロールリブとを有し、流体を圧縮するためにそれらが軸の周りにおいて互いに係合するように構成される、複数のスクロール圧縮機体を備え、前記駆動ユニットは前記複数のスクロール圧縮機体の間の相対的な運動を可能とするように作動可能に設けられた、請求項８乃至請求項１３のいずれか一項に記載の方法。
【請求項１５】
前記端子ブロックを、前記保護モジュールおよび前記電源コネクタの両方に電気的に接続するステップをさらに含む、請求項８乃至請求項１４のいずれか一項に記載の方法。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
ハウジングの内部に第１の環状の座を画成するために入れ子に嵌合する、第１および第２のシェルセクションを有するハウジングと；
複数のスクロール圧縮機体であって、それぞれの基部と、前記それぞれの基部から突出して互いに係合するそれぞれのスクロールリブとを有する複数のスクロール圧縮機体と；
駆動シャフト上に回転出力を提供するモータであって、前記駆動シャフトは、前記複数のスクロール圧縮機体の１つを駆動するように作動して流体を圧縮するために相対的な運動を可能とする、モータと；
前記駆動シャフトを回転可能に支持し、前記第１の環状の座に係合する下側の軸受部材とを備え；
前記第１および第２のシェルセクションは、両側の開口端部を有する管状の中央のシェルセクションと下側のシェルセクションとを含み、前記下側のシェルセクションは前記中央のシェルセクションの内側に受け入れられて第１の円形の端部を提供し、前記第１の円形の端部は前記第１の環状の座を提供し、前記下側の軸受部材と軸方向において当接するように構成され、前記下側のシェルセクションは、端壁と、前記端壁から一体に延在する円筒状の側壁とを含み、前記下側の軸受部材は、前記円筒状の側壁の円筒状の内面に対して半径方向において位置決めされるように構成された、スクロール圧縮機。
【請求項２】
前記下側の軸受部材は、前記駆動シャフトを受け入れる軸受を有する中央開口部を含む中央のハブと、前記中央のハブから半径方向の外方に突出する複数のアームとを含み、前記アームの各々は前記第１の環状の座に着座するように構成された、請求項１に記載のスクロール圧縮機。
【請求項３】
前記ハウジングは第３のシェルセクションをさらに有し、前記第３のシェルセクションは上側のシェルセクションを含み、前記中央のシェルセクションは前記上側のシェルセクションの内側に受け入れられて第２の円形の端部を提供し、前記第２の円形の端部は第２の環状の座を提供し、上側の軸受部材と軸方向において当接するように構成され、前記上側の軸受部材は、前記中央のシェルセクションの内面を基準として半径方向に位置決めされるように構成された、請求項１又は請求項２に記載のスクロール圧縮機。
【請求項４】
上側の軸受部材をさらに備え、前記ハウジングは第３のシェルセクションをさらに有し、前記第３のシェルセクションは前記中央のシェルセクションを覆って入れ子に嵌合する上側のシェルセクションをさらに有し、前記上側の軸受部材は前記中央のシェルセクションが提供する第２の円形の端部に当接するように構成された、請求項１又は請求項２に記載のスクロール圧縮機。
【請求項５】
前記モータを支持するモータハウジングをさらに備え、前記モータハウジングは、前記ハウジングの前記シェルセクションと接触しないように、前記ハウジングの前記シェルセクションから離間して前記下側の軸受部材に支持される、請求項１乃至請求項４のいずれか一項に記載のスクロール圧縮機。
【請求項６】
上側のシェルセクションと、下側のシェルセクションと、管状の中央のシェルセクションとを有するハウジングであって、前記上側および下側のシェルセクションが、前記管状の中央のシェルセクションの両端と入れ子に嵌合する、ハウジングと；
前記ハウジングに囲まれる複数のスクロール圧縮機体であって、それぞれの基部と、それぞれの基部から突出して互いに係合するそれぞれのスクロールリブとを有する、複数のスクロール圧縮機体と；
前記ハウジングに囲まれる駆動ユニットであって、流体を圧縮するための相対的な運動を可能とするために前記複数のスクロール圧縮機体に回転出力を提供する、駆動ユニットとを備え；
前記駆動ユニットは、前記ハウジングの前記シェルセクションと接触しないように、前記ハウジングから離間して支持されるように構成された；
スクロール圧縮機。
【請求項７】
前記中央のシェルセクションは、前記上側のシェルセクションの内側に入れ子に嵌合して受け入れられ、前記下側のシェルセクションは、前記中央のシェルセクションの内側に入れ子に嵌合して受け入れられる、請求項６に記載のスクロール圧縮機。
【請求項８】
前記中央のシェルセクションを前記上側および下側のシェルセクションにそれぞれ固定する第１および第２の外周溶接部をさらに備える、請求項６又は請求項７に記載のスクロール圧縮機。
【請求項９】
前記ハウジングは、内部にスクロール圧縮隔室を生成する、前記上側のシェルセクション、前記下側のシェルセクション、および前記管状の中央のシェルセクションの３つの構成要素のみで構成される、請求項６乃至請求項８のいずれか一項に記載のスクロール圧縮機。
【請求項１０】
前記上側のシェルセクションは、閉鎖した上端と略円筒状の下方に向けて延在する側壁とを含み、前記下側のシェルセクションは、閉鎖した下端と略円筒状の上方に向けて延在する側壁とを含み、第１および第２の外周溶接部が、前記それぞれの側壁を、前記管状の中央のシェルセクションの上端および下端に固定するように設けられた、請求項６又は請求項７に記載のスクロール圧縮機。
【請求項１１】
上側および下側の軸受部材をさらに備え、前記駆動ユニットは駆動シャフト上に前記回転出力を提供するモータを有し、前記駆動シャフトは、前記上側および下側の軸受部材によって回転可能に支持され、前記上側および下側の軸受部材は、前記中央および下側のシェルセクションの内蔵される端部が提供する座にそれぞれ着座するように設けられた、請求項６乃至請求項１０のいずれか一項に記載のスクロール圧縮機。
【請求項１２】
前記内蔵される端部は、前記上側および下側の軸受部材を軸方向において位置決めして支持し、前記下側の軸受部材は前記下側のシェルセクションの内面を基準として半径方向に位置決めされ、前記上側の軸受部材は前記中央のシェルセクションの内面を基準として半径方向に位置決めされる、請求項１１に記載のスクロール圧縮機。
【請求項１３】
前記モータ用のモータハウジングをさらに備え、前記上側および下側の軸受部材は、それぞれ、前記モータハウジングを軸方向および半径方向において位置決めする環状の段差が設けられた座部を画成する、請求項１１又は請求項１２に記載のスクロール圧縮機。
【請求項１４】
前記モータハウジングを前記上側および下側の軸受部材に締結するボルトをさらに備え、前記ボルトは半径方向の内方に向けて取り付けられる、請求項１３に記載のスクロール圧縮機。
【手続補正書】
【提出日】平成24年1月4日(2012.1.4)
【手続補正１】
【補正対象書類名】特許請求の範囲
【補正対象項目名】全文
【補正方法】変更
【補正の内容】
【特許請求の範囲】
【請求項１】
無線アクセスネットワークを通して特定の周期的ビット列を送信する２つの又は３つ以上の基地送受信局（ＢＴＳ）のカバレッジエリア内で動作するユーザ装置（ＵＥ）ユニットの位置を決定するための方法であって、
ａ）前記ユーザ装置において、前記特定の周期的ビット列を検出するために前記ＢＴＳから受信した着信トラフィックを監視すること、
ｂ）前記特定の周期的ビット列から、前記ＵＥユニットの相対位置を２つの又は３つ以上の前記ＢＴＳに搬送する少なくとも２つの位置パラメータを決定すること、及び、
ｃ）前記ＵＥユニットの地理的座標を確立するために前記位置パラメータを処理することを含む、位置決定方法。
【請求項２】
ステップｂ）は、
前記第１、第２及び第３のそれぞれのＢＴＳにおいて、前記特定の周期的ビット列の第１到着時間（ＴＯＡ１）、第２到着時間（ＴＯＡ２）及び第３到着時間（ＴＯＡ３）を確立すること、
前記第１到着時間と前記第２到着時間との間の第１時間差（Ｔ１２）として第１位置パラメータを決定すること、及び
前記第１到着時間と前記第３到着時間との間の第２時間差（Ｔ１３）として第２位置パラメータを決定することを含む、請求項１に記載の方法。
【請求項３】
前記ステップｃ）は、
前記ＵＥユニットにおいて、前記ＢＴＳの地理的座標を取得すること、及び
前記第１時間差及び第２時間差と前記ＢＴＳの前記地理的座標とに基づいて、前記ＵＥユニットの地理的座標を確立することを含む、請求項２に記載の方法。
【請求項４】
前記ステップｂ）は、
前記ＵＥユニットの第１アンテナにおいて、第１ＢＴＳからの前記特定の周期的ビット列の第１到来角（ＡＯＡ１）として、第１位置パラメータを決定すること、及び
前記ＵＥユニットの第２のアンテナにおいて、第２ＢＴＳからの前記特定の周期的ビット列の第２到来角（ＡＯＡ１）として、第２位置パラメータを決定することを含む、請求項１に記載の方法。
【請求項５】
前記ステップｃ）は、
前記ＵＥにおいて、前記ＢＴＳの地理的座標を取得するステップと、
前記第１到来角及び第２到来角と前記ＢＴＳの前記地理的座標とに基づいて、前記ＵＥユニットの前記地理的座標を確立するステップとを含む、請求項４に記載の方法。
【請求項６】
前記第１ＢＴＳ及び第２ＢＴＳは、前記第２アンテナにおける前記周期的ビット列の強さに基づいて選択される、請求項５に記載の方法。
【請求項７】
前記無線アクセスネットワークは、ワイマックス、３ＧＰＰ  ＬＴＥ及びＵＭＢネットワークのうちの１つである、請求項１に記載の方法。
【請求項８】
前記特定の周期的ビット列は、各前記ＢＴＳにより前記ダウンリンクサブフレームにおいて送信されるプリアンブルである、請求項１に記載の方法。
【請求項９】
前記特定の周期的ビット列は、各前記ＢＴＳにより前記ダウンリンクサブフレームにおいて送信されるパイロットトーンである、請求項１に記載の方法。
【請求項１０】
前記地理的座標を、前記ＵＥユニットに生成された緊急発進に追加すると、
前記ＵＥユニットから緊急通報受信センタへ前記発信を送信することをさらに含む、請求項１に記載の方法。
【請求項１１】
第１アンテナ及び第２アンテナが装備されたユーザ装置（ＵＥ）ユニットのための位置識別モジュールであって、
前記着信トラフィックを監視し、少なくとも２つの基地送受信局（ＢＴＳ）から受信した特定の周期的ビット列を識別するための監視部と、
前記各ＢＴＳから前記ＵＥユニットの前記相対位置を搬送する２つの位置パラメータを前記特定の周期的ビット列から決定するための位置パラメータ計算装置と、
前記２つの位置パラメータを処理し、前記ＵＥユニットの地前記理的座標を推定するための座標推定器とを含む、位置識別モジュール。
【請求項１２】
前記位置パラメータ計算装置は、
第１、第２及び第３のそれぞれのＢＴＳからの前記特定の周期的ビット列の第１、第２及び第３の到着時間（ＴＯＡ１，ＴＯＡ２，ＴＯＡ３）を確立するための手段と、
前記第１到着時間と前記第２到着時間との間の第１時間差（Ｔ１２）として、第１位置パラメータを決定し、前記第１到着時間と前記第３到着時間との間の第２時間差（Ｔ１３）として第２位置パラメータを決定するための手段とを含む、請求項１１に記載の位置識別モジュール。
【請求項１３】
前記座標推定器は、
前記基地局の前記地理的座標を一時的に記憶するためのメモリと、
前記第１時間差及び第２時間差と前記ＢＴＳの前記地理的座標とに基づいて、前記ＵＥユニットの前記座標を確立するための手段とを含む、請求項１２に記載の位置識別モジュール。
【請求項１４】
前記位置パラメータ計算装置は、
前記第１アンテナにおいて第１ＢＴＳから受信した前記特定の周期的ビット列の第１到来角として、第１位置パラメータを決定するための手段と、
前記第２のアンテナにおいて第２ＢＴＳから受信した前記特定の周期的ビット列の第２到来角として。第２位置パラメータを決定するための手段とを含む、請求項１１に記載の位置識別モジュール。
【請求項１５】
前記座標推定器は、
前記ＢＴＳの前記地理的座標を一時的に記憶するためのメモリと、
前記第１到来角及び第２到来角と前記ＢＴＳの前記地理的座標とに基づいて、前記ユーＵＥユニットの前記座標を確立するための手段とを含む、請求項１４に記載の位置識別モジュール。
【請求項１６】
前記地理的座標を、前記ＵＥユニットに生成された緊急発信に追加し、前記ＵＥユニットから緊急通報受信センタへ前記発信を送信するための位置発信プロセッサをさらに含む、請求項１１に記載の位置識別モジュール。
【請求項１７】
前記発信への挿入のための付加的な詳細な位置情報を前記位置発信プロセッサに提供するためにＧＰＳユニットを含む、請求項１６に記載の位置識別モジュール。
【手続補正書】
【提出日】平成24年1月24日(2012.1.24)
【手続補正１】
【補正対象書類名】特許請求の範囲
【補正対象項目名】全文
【補正方法】変更
【補正の内容】
【特許請求の範囲】
【請求項１】
顆粒層におよび／あるいは表皮の下に、美容処置の間、液体が供給されるシリンジに取り付ける中空の針であり、針は先端部からなりそして先端部に隣接する側面開口を含み、ここで液体が側面開口を経て排出しそしてここで針は真っ直ぐで曲がり得てそしてここで針の先端部は丸くそして円形でありそして針の直径は０．５ｍｍより小さい。
い。
【請求項２】
顆粒層（含まれる）から網状真皮（含まれる）までを含む範囲に、美容処置の間、液体が供給されるシリンジに取り付ける請求項１に従う中空の針。
【請求項３】
乳頭真皮の下に、美容処置の間、液体が供給されるシリンジに取り付ける請求項１または２に従う中空の針。
【請求項４】
針の直径が０．５ｍｍ、０．４ｍｍ、０．３ｍｍ、０．２ｍｍ、０．３ｍｍおよび０．４ｍｍの間、０．４ｍｍおよび０．５ｍｍの間、および０．２ｍｍおよび０．３ｍｍの間の何れかである請求項１あるいは請求項３のいずれか１項に従う針。
【請求項５】
針の長さが５０ｍｍより小さい請求項１〜請求項４のいずれか１項に従う針。
【請求項６】
針の長さが５ｍｍおよび５０ｍｍの間である請求項５に従う針。
【請求項７】
針の長さが４６ｍｍ、４０ｍｍ、３７ｍｍ、３２ｍｍ、２０ｍｍ、１７ｍｍ、１３ｍｍの何れかである請求項１から請求項６のいずれか１項に従う針。
【請求項８】
側面開口の大きい直径の寸法が０．０５および１ｍｍの間からなる請求項１から請求項７のいずれか１項に従う針。
【請求項９】
側面開口が針の先端部から最大で２ｍｍに位置する請求項１から請求項８のいずれか１項に従う針。
【請求項１０】
針が全体的にあるいは部分的にステンレス鋼あるいは形状記憶合金（ＳＭＡ）である請求項１から請求項９のいずれか１項に従う針。
【請求項１１】
顆粒層におよび／あるいは表皮の下に、美容処置の間、液体を供給するための器具であって、シリンジおよび請求項１、請求項４〜６のいずれか１項に従う針からなる。
【請求項１２】
顆粒層（含まれる）から網状真皮（含まれる）までを含む範囲に、美容処置の間、液体を供給するための請求項１１に従う器具。
【請求項１３】
乳頭真皮の下に、美容処置の間、液体を供給するための請求項１１または１２に従う器具。
【請求項１４】
顆粒層におよび／あるいは表皮の下に、美容処置の間、液体を供給する方法であって、請求項１１に従う器具を使用する。
【請求項１５】
顆粒層（含まれる）から網状真皮（含まれる）までを含む範囲に、美容処置の間、液体を供給する方法であって、請求項１２に従う器具を使用する。
【請求項１６】
乳頭真皮の下に、美容処置の間、液体を供給する方法であって、請求項１３に従う器具を使用する。
【請求項１７】
美容処置が顔に行われる請求項１４〜１６の何れかに従う方法。
【請求項１８】
顆粒層におよび／あるいは表皮の下に、液体を供給する方法であって、請求項１から請求項１７のいずれか１項に従う針を使用する。
【請求項１９】
顆粒層（含まれる）から網状真皮（含まれる）までを含む範囲に、液体を供給する方法であって、請求項１から請求項１７のいずれか１項に従う針を使用する。
【請求項２０】
乳頭真皮の下に、液体を供給する方法であって、請求項１から請求項１７のいずれか１項に従う針を使用する。
【請求項２１】
請求項１から請求項２０のいずれか１項に従う液体を供給する方法の使用からなる治療の方法。
【手続補正書】
【提出日】平成24年1月4日(2012.1.4)
【手続補正１】
【補正対象書類名】特許請求の範囲
【補正対象項目名】請求項１７
【補正方法】変更
【補正の内容】
【請求項１７】
組織領域（２）上に接触する半球体（４）の縁部（９）直上の直径は、５−６０ｍｍの間である請求項１または１０に記載の装置。
【手続補正書】
【提出日】平成24年1月5日(2012.1.5)
【手続補正１】
【補正対象書類名】特許請求の範囲
【補正対象項目名】全文
【補正方法】変更
【補正の内容】
【特許請求の範囲】
【請求項１】
ボードゲーム又はカードゲーム等のゲームのためのゲーム用サイコロであって、
前記ゲーム用サイコロは、複数の縁を介して互いに分離された複数の本質的に平坦な面を有する本体部を備え、前記面の少なくとも１つ又は複数には表示保持要素を取り付ける手段が設けられ、前記表示保持要素を取り付ける手段は、前記サイコロの少なくとも１つの面から所定の高さで突出する１つ又は複数の連結スタッドを有し、
前記ゲーム用サイコロの前記縁の少なくとも一部に、前記サイコロの前記面に対して直角に測定した前記連結スタッドの高さに一致するか又は前記高さを超える距離で前記サイコロの前記面から突出するフランジが設けられていることを特徴とする、ゲーム用サイコロ。
【請求項２】
前記ゲーム用サイコロは、少なくとも１つの表示保持要素をさらに含み、前記表示保持要素は連結手段を有する底面を有し、前記連結手段は、前記サイコロの前記面上の前記連結スタッドと摩擦的に又は幾何学的ロックにより相互接続される相補的な連結部品によって前記サイコロへの前記表示保持要素の取付けが可能となるように、前記連結スタッドの１つに対して相補的に構成されることを特徴とする、請求項１に記載のゲーム用サイコロ。
【請求項３】
前記表示保持要素はそれぞれ、前記相補的な連結部品を有する前記底面に対向して前記底面から所定の距離に配置される表面を有し、前記表面には、種々の形状、修飾、色又はグラフィックプリント等、種々の表示があることを特徴とする、請求項１に記載のゲーム用サイコロ。
【請求項４】
前記ゲーム用サイコロの前記縁のそれぞれに、前記サイコロの前記面に対して直角に測定した前記連結スタッドの高さに一致するか又は前記高さを超える距離で前記サイコロの前記面から延びるフランジが設けられることを特徴とする、請求項１、２又は３のいずれかに記載のゲーム用サイコロ。
【請求項５】
前記ゲーム用サイコロの前記縁の少なくとも一部にフランジが設けられ、前記フランジは、前記サイコロの前記面に対して直角に測定した、前記ゲーム用サイコロの前記面から前記ゲーム用サイコロの前記面の１つに取り付けられる少なくとも１つの前記表示保持要素の表面までの距離に一致するか又は前記距離を超える距離で、前記サイコロの前記面から延びることを特徴とする、請求項２に記載のゲーム用サイコロ。
【請求項６】
前記ゲーム用サイコロは、２つの異なるプラスチック材料から構成され、前記フランジは、前記ゲーム用サイコロの前記面上の前記連結スタッドを成す材料よりも弾性である材料から構成されることを特徴とする、請求項４又は５に記載のゲーム用サイコロ。
【請求項７】
前記２つのプラスチック材料は互いに異なる色を有することを特徴とする、請求項１〜６のいずれかに記載のゲーム用サイコロ。
【請求項８】
前記ゲーム用サイコロ上の前記表示保持要素及び前記フランジのそれぞれは、前記表示保持要素が前記ゲーム用サイコロに取り付けられたときに前記表示保持要素及び前記フランジ間に距離が存在するように構成され、
前記距離は、爪等の平板物体を前記ゲーム用サイコロの上の前記表示保持要素と隣接フランジとの間に差し込むことによって、前記サイコロのユーザが前記表示保持要素を前記ゲーム用サイコロから外すことができる程度に大きいことを特徴とする、請求項２又は４に記載のゲーム用サイコロ。
【請求項９】
前記フランジのいずれかは、前記フランジに隣接する２つの側面に対して鈍角でそれぞれが延びる２つの対向する側面を有し、前記鈍角は９０度を超え、好ましくは１２０度を超えることを特徴とする、請求項６に記載のゲーム用サイコロ。
【請求項１０】
前記フランジは全て、前記ゲーム用サイコロの前記本体部に比して凸状である表面を有することを特徴とする、請求項７に記載のゲーム用サイコロ。
【請求項１１】
前記連結スタッド及び前記相補的な連結部品は、玩具組立セットの組立要素と相互接続することができるように構成されていることを特徴とする、請求項１又は２に記載のゲーム用サイコロ。